(57)【特許請求の範囲】
【請求項１】
鏡と支持構造体との間であって前記鏡の光軸方向に設置され、前記鏡を支持する鏡支持体において、前記鏡に固定される第１パッド部と、前記第１パッド部と異なる位置で前記鏡に固定される第２パッド部と、前記鏡から離間して、前記第１パッド部と前記第２パッド部との間に渡されたアーム部と、前記アーム部と前記第１パッド部との間に形成された第１パッド部用弾性体と、前記アーム部と前記第２パッド部との間に形成された第２パッド部用弾性体と、一端が前記第２パッド部に対して前記第１パッド部側寄りの位置で前記アーム部に接続され、接続された位置から前記第１パッド部側に傾斜して延伸した他端が前記支持構造体に接続される第１ロッド部と、前記第１ロッド部を構成する弾性体である第１ロッド部弾性体と、一端が前記アーム部の前記第１パッド部に対して前記第２パッド部側寄りの位置に接続され、接続された位置から前記第２パッド部側に傾斜して延伸した他端が前記支持構造体に接続される第２ロッド部と、前記第２ロッド部を構成する弾性体である第２ロッド部弾性体とを備え、前記第１ロッド部及び前記第２ロッド部の傾斜角度は、前記第１ロッド部を前記鏡の方向に延伸させた第１仮想線と、前記第２ロッド部を前記鏡の方向に延伸させた第２仮想線とが交差する点が、前記鏡の重心がある仮想平面上に存在する、角度である鏡支持体。
【請求項２】
前記アーム部は、前記第１ロッド部と接続している部分から屈曲して、前記第１ロッド部と接続している部分と前記第１パッド部との間が前記第１ロッド部に沿って延伸し、前記第２ロッド部と接続している部分から屈曲して、前記第２ロッド部と接続している部分と前記第２パッド部との間が前記第２ロッド部に沿って延伸している請求項１に記載の鏡支持体。
【請求項３】
前記アーム部は、前記第１ロッド部と接続している部分と前記第１パッド部との間が前記第１ロッド部に沿って延伸し、前記第１パッド部側で、さらに屈曲してから前記第１パッド部用弾性体を介して前記第１パッド部と接続され、前記第２ロッド部と接続している部分と前記第２パッド部との間が前記第２ロッド部に沿って延伸し、前記第２パッド部側で、さらに屈曲してから前記第２パッド部用弾性体を介して前記第２パッド部と接続された請求項２に記載の鏡支持体。
【請求項４】
前記アーム部は、前記第１ロッド部と接続している部分と前記第１パッド部との間で前記第１ロッド部に沿って延伸している部分が、前記第１ロッド部と平行であり、前記第２ロッド部と接続している部分と前記第２パッド部との間で前記第２ロッド部に沿って延伸している部分が、前記第２ロッド部と平行である請求項２又は請求項３に記載の鏡支持体。
【請求項５】
前記第１ロッド部の他端と前記第１パッド部とは、前記光軸方向において対向し、前記第２ロッド部の他端と前記第２パッド部とは、前記光軸方向において対向する請求項１から請求項４のいずれか１項に記載の鏡支持体。
【請求項６】
前記第１パッド部用弾性体、前記第２パッド部用弾性体、前記第１ロッド部弾性体及び前記第２ロッド部弾性体は、少なくとも一つが板状弾性部材及び剛性部材で形成されている請求項１から請求項５のいずれか１項に記載の鏡支持体。
【請求項７】
前記第１パッド部用弾性体及び前記第２パッド部用弾性体は、それぞれ板状弾性部材及び剛性部材で形成され、板状弾性部材が、前記アーム部の長手方向に変形する位置に配置される請求項１から請求項５のいずれか１項に記載の鏡支持体。
【請求項８】
前記第１ロッド部弾性体及び前記第２ロッド部弾性体は、それぞれ複数の板状弾性部材及び剛性部材で形成され、少なくとも一つの板状弾性部材が、前記アーム部の長手方向に直交する方向に変形する位置に配置される請求項１から請求項５のいずれか１項に記載の鏡支持体。
【請求項９】
前記第１ロッド部弾性体及び前記第２ロッド部弾性体は、それぞれ複数の板状弾性部材及び剛性部材で形成され、少なくとも一つの板状弾性部材が、前記アーム部の長手方向に変形する位置に配置される請求項１から請求項５のいずれか１項に記載の鏡支持体。
【請求項１０】
請求項１から請求項９のいずれか１項に記載の鏡支持体を少なくとも三つ備えた鏡支持機構であって、隣り合う鏡支持体同士の前記第１パッド部と前記第２パッド部との距離、及び、同じ鏡支持体の前記第１パッド部と前記第２パッド部との距離が等しく配置され、同一円周上に前記第１パッド部及び前記第２パッド部が固定された前記鏡と、前記支持構造体とを備えた鏡支持機構。
【請求項１１】
前記支持構造体は、長方形状の本体部と、前記本体部の二つの長辺方向の端部の長辺にそれぞれ形成された第１接続子と、前記本体部の二つの短辺にそれぞれ形成された第２接続子とを有し、
前記第１接続子は、一方の前記長辺に形成された一の前記第１接続子及び二の前記第１接続子が、同じ前記アーム部に接続された前記第１ロッド部及び前記第２ロッド部にそれぞれ接続され、
前記第１接続子は、他方の前記長辺に形成された三の前記第１接続子が、一の前記第１接続子が接続された前記第１ロッド部とは異なる前記第１ロッド部に接続され、他方の前記長辺に形成された四の前記第１接続子が、二の前記第１接続子が接続された前記第２ロッド部とは異なる前記第２ロッド部に接続され、
前記第２接続子は、一方の前記短辺に形成された一の前記第２接続子が、三の前記第１接続子が接続された前記第１ロッド部と同じ前記アーム部に接続された前記第２ロッド部に接続され、他方の前記短辺に形成された二の前記第２接続子が、四の前記第１接続子が接続された前記第２ロッド部と同じ前記アーム部に接続された前記第１ロッド部に接続された請求項１０に記載の鏡支持機構。
【請求項１２】
前記本体部は、板状の部材である請求項１１に記載の鏡支持機構。
【請求項１３】
前記第１接続子又は前記第２接続子は、少なくとも一つが前記本体部から突出した形状である請求項１１又は請求項１２に記載の鏡支持機構。
【請求項１４】
前記鏡と、前記鏡の同一円周上で等間隔の少なくとも六箇所をそれぞれ固定する鏡固定部と、前記鏡固定部を支持する前記支持構造体とを備え、前記第１接続子及び前記第２接続子が前記鏡固定部を支持しており、
前記鏡及び前記支持構造体は、それぞれ中央部に開口し、前記鏡固定部は前記鏡の前記開口を避けて配置された請求項１１から請求項１３のいずれか１項に記載の鏡支持機構。
【請求項１５】
前記支持構造体に基端部が固定された脱落防止部をさらに備え、前記脱落防止部は、前記基端部が前記支持構造体の前記開口に固定され、前記鏡の前記開口を通過してから前記鏡の鏡面側で張り出し、径が前記鏡の前記開口の径よりも大きい先端部を有し、前記脱落防止部と前記鏡との間には隙間がある請求項１４に記載の鏡支持機構。
【発明の詳細な説明】
【技術分野】
【０００１】
この発明は、光学望遠鏡や電波望遠鏡の鏡（主鏡や副鏡の反射鏡）を支持する鏡支持体及び鏡支持機構に関するものである。
【背景技術】
【０００２】
従来、望遠鏡の鏡を支持する鏡支持体及び鏡支持機構には、バイポッドの二脚の中心線が反射鏡のアキシャル（軸）方向の重心位置において交わるように設けているものがある（例えば、特許文献１参照）。一方、逆バイポッドにより望遠鏡の鏡を支持する鏡支持体及び鏡支持機構がある（例えば、特許文献２参照）。【０００３】
また、鏡支持体及び鏡支持機構には、アキシャル方向及びラテラル（側）方向をそれぞれ支持するものがある（例えば、特許文献３参照）。特許文献３には、ラテラル方向を弾性体で拘束（支持）しているものが開示されている。なお、光学素子に保持（支持）には弾性体が用いられることが少なくない（例えば、特許文献４参照）。
【先行技術文献】
【特許文献】
【０００４】
【特許文献１】ＷＯ２００６／０１８８８８
【特許文献２】特開２０１７−３２７９５号公報
【特許文献３】特開２０１２−１８５２７８号公報
【特許文献４】特開２００９−２１７１５０号公報
【発明の概要】
【発明が解決しようとする課題】
【０００５】
しかし、バイポッドや逆バイポッドを用いた鏡支持体及び鏡支持機構は、望遠鏡の鏡（主鏡や副鏡の反射鏡）が自重による変形が無視できないような重力下に設置される大型の望遠鏡では、補助の機構が必要となることが多い。例えば、アキシャル方向及びラテラル方向を支持するものなどが考えられる。このような理由から、従来は、鏡支持体及び鏡支持機構の全体構造が複雑になってしまうおそれや重量が増加してしまうおそれがあるという課題があった。【０００６】
この発明は、上記のような課題を解消するためになされたもので、望遠鏡の鏡（主鏡や副鏡の反射鏡）が自重による変形を簡便な構造で抑制して、支持することができる鏡支持体及び鏡支持機構に関するものである。
【課題を解決するための手段】
【０００７】
この発明に係る鏡支持体及び鏡支持機構は、鏡と支持構造体との間であって前記鏡の光軸方向に設置され、前記鏡を支持する鏡支持体において、前記鏡に固定される第１パッド部と、前記第１パッド部と異なる位置で前記鏡に固定される第２パッド部と、前記鏡から離間して、前記第１パッド部と前記第２パッド部との間に渡されたアーム部と、前記アーム部と前記第１パッド部との間に形成された第１パッド部用弾性体と、前記アーム部と前記第２パッド部との間に形成された第２パッド部用弾性体と、一端が前記第２パッド部に対して前記第１パッド部側寄りの位置で前記アーム部に接続され、接続された位置から前記第１パッド部側に傾斜して延伸した他端が前記支持構造体に接続される第１ロッド部と、前記第１ロッド部を構成する弾性体である第１ロッド部弾性体と、一端が前記アーム部の前記第１パッド部に対して前記第２パッド部側寄りの位置に接続され、接続された位置から前記第２パッド部側に傾斜して延伸した他端が前記支持構造体に接続される第２ロッド部と、前記第２ロッド部を構成する弾性体である第２ロッド部弾性体とを備え、前記第１ロッド部及び前記第２ロッド部の傾斜角度は、前記第１ロッド部を前記鏡の方向に延伸させた第１仮想線と、前記第２ロッド部を前記鏡の方向に延伸させた第２仮想線とが交差する点が、前記鏡の重心がある仮想平面上に存在する、角度であるものである。【０００８】
この発明に係る鏡支持機構は、鏡と、前記鏡の同一円周上で等間隔の少なくとも六箇所をそれぞれ固定する鏡固定部と、前記鏡固定部を支持する支持構造体とを備え、前記支持構造体は、長方形状の本体部と、前記本体部の二つの長辺方向の端部の長辺にそれぞれ形成された第１接続子と、前記本体部の二つの短辺にそれぞれ形成された第２接続子とを有し、前記第１接続子及び前記第２接続子が鏡固定部を支持しているものである。
【発明の効果】
【０００９】
以上のように、この発明によれば、鏡（主鏡や副鏡の反射鏡）の剛体移動を小さくして、鏡を支持することができる鏡支持体及び鏡支持機構を得ることができる。
【図面の簡単な説明】
【００１０】
【図１】この発明の実施の形態１に係る鏡支持機構の斜視図（鏡の裏面側から見た斜視図）である。
【図２】この発明の実施の形態１に係る鏡支持機構の平面図、正面図、側面図である。
【図３】この発明の実施の形態１に係る鏡支持機構の斜視図（鏡の裏面側から見た斜視図）である（支持構造体の取り付け前）。
【図４】この発明の実施の形態１に係る鏡支持機構の平面図、正面図、側面図である（支持構造体の取り付け前）。
【図５】この発明の実施の形態１に係る鏡支持体及び鏡の平面模式図である。
【図６】この発明の実施の形態１に係る鏡支持機構の正面模式図である。
【図７】この発明の実施の形態１に係る鏡支持機構の正面模式図である。
【図８】この発明の実施の形態１に係る鏡支持体及び鏡の正面模式図である。
【図９】この発明の実施の形態１に係る鏡支持体及び鏡の正面模式図である。
【図１０】この発明の実施の形態１に係る鏡支持体の斜視図である。
【図１１】この発明の実施の形態１に係る鏡支持体の平面図である。
【図１２】この発明の実施の形態１に係る鏡支持体の正面図である。
【図１３】この発明の実施の形態１に係る鏡支持体の側面図である。
【図１４】この発明の実施の形態１に係る鏡支持体（ロッド部）の構成図である。
【図１５】この発明の実施の形態２に係る鏡支持機構の斜視図（鏡の裏面側から見た斜視図）である。
【図１６】この発明の実施の形態２に係る鏡支持機構の平面図、正面図、側面図である。
【図１７】この発明の実施の形態２に係る鏡支持機構の斜視図（鏡の裏面側から見た斜視図）である（支持構造体の取り付け前）。
【図１８】この発明の実施の形態２に係る鏡支持機構の平面図、正面図、側面図である（支持構造体の取り付け前）。
【図１９】この発明の実施の形態３に係る鏡支持機構の正面模式図である。
【発明を実施するための形態】
【００１１】
本願に係る発明は、鏡と支持構造体との間であって鏡の光軸方向に設置され、鏡を支持する鏡支持体（鏡固定部）及び鏡支持機構（鏡支持体（鏡固定部）と支持構造体）に関するものである。鏡支持体、鏡支持機構に支持される鏡は、光学望遠鏡や電波望遠鏡の鏡（主鏡や副鏡の反射鏡）を支持するものである。この発明の実施の形態では、鏡支持体、鏡支持機構に支持される鏡（反射鏡）が副鏡の場合を例示的に示している。副鏡の場合を事例に、まず、鏡支持機構（鏡支持体（鏡固定部）と支持構造体）全体の説明を行う。次に、鏡支持体（鏡固定部）の説明を行う。なお、望遠鏡全体や主鏡の詳細説明や図示は省略する。図中、同一符号は、同一又は相当部分を示しそれらについての詳細な説明は省略する。図中の各座標は次のとおりである。Ｘ軸は、鏡の高度軸方向の軸である。Ｙ軸は、鏡の天地軸方向の軸である。Ｚ軸は、鏡の光軸方向の軸である。Ｘ軸、Ｙ軸、Ｚ軸は、それぞれ直交している。Ｒ軸は、鏡の半径方向の軸である。Ｃ軸は、鏡の円周方向の軸である。Ｒ軸、Ｃ軸、Ｚ軸は、それぞれ直交している。
【００１２】
実施の形態１．
以下、この発明の実施の形態１に係る鏡支持体及び鏡支持機構について図１から図９を用いて説明する。図２（ａ）は、鏡支持機構の平面図である。鏡支持機構は鏡の裏面（背面、鏡面の反対面）に主な構成を有するものであるので、鏡の裏面を平面図としている。つまり、鏡支持機構の底面図は、鏡の鏡面となる。図２（ｂ）は、鏡支持機構の正面図である。鏡支持機構の背面図は、図１及び図２から明らかである。図２（ｃ）は、鏡支持機構の側面図である。鏡支持機構の右側面図と左側面図とは同じような図となり、右側面図と左側面図との相違点は、図１及び図２から明らかである。図４（ａ）、図４（ｂ）、図４（ｃ）の関係は、図２（ａ）、図２（ｂ）、図２（ｃ）と同様の関係である。つまり、図４（ａ）は、鏡支持機構の平面図である。図２と同じく、鏡支持機構の底面図は、鏡の鏡面となる。図４（ｂ）は、鏡支持機構の正面図である。鏡支持機構の背面図は、図３及び図４から明らかである。図４（ｃ）は、鏡支持機構の側面図である。鏡支持機構の右側面図と左側面図とは同じような図となり、右側面図と左側面図との相違点は、図３及び図４から明らかである。
【００１３】
図５（ａ）は、鏡支持機構（鏡支持体）の六つの鏡固定部と三つの拘束点との関係を示す図である。図５（ｂ）は、鏡支持機構（鏡支持体）の六つの鏡固定部と三つの拘束点との関係を示す図であり、鏡固定部に板バネ部を用いた場合を示している。図７（ａ）は、鏡支持機構（鏡支持体）のウィッフルツリー構造に対する比較例の構造であるウィッフルツリー構造を説明する図である。詳しくは、図７（ａ）は、ベアリングを使って回転解放したウィッフルツリー構造を示している。図７（ｂ）は鏡支持機構（鏡支持体）のウィッフルツリー構造を説明する図である。図８（ａ）は、鏡面が垂直方向に向いているときの鏡支持機構（鏡支持体）の力点を説明する図である。図８（ｂ）は、鏡面が水平方向に向いているときの鏡支持機構（鏡支持体）の力点を説明する図である。図９（ａ）は、鏡面が垂直方向に向いているときの鏡の剛体移動を抑制した鏡支持機構（鏡支持体）を説明する図である。図９（ｂ）は、鏡面が水平方向に向いているときの鏡の剛体移動を抑制した鏡支持機構（鏡支持体）を説明する図である。
【００１４】
図１から図９において、鏡１は、光学望遠鏡又は電波望遠鏡の副鏡である。鏡固定部２（鏡固定部２ａ、鏡固定部２ｂ、鏡固定部２ｃ、鏡固定部２ｄ、鏡固定部２ｅ、鏡固定部２ｆ）は、鏡１の裏面（背面、鏡面の反対面）に形成され、鏡１の同一円周（同心円）上で等間隔の少なくとも六箇所をそれぞれ固定するものである。つまり、鏡固定部２は、６×ｎ箇所（ｎは正の整数）で鏡１を固定するものである。実施の形態１では鏡固定部２が、鏡固定部２ａ、鏡固定部２ｂ、鏡固定部２ｃ、鏡固定部２ｄ、鏡固定部２ｅ、鏡固定部２ｆの六つの場合を例示している。鏡固定部２は、鏡１（鏡１の裏面）から離間したアーム部３（アーム部３ａ、アーム部３ｂ、アーム部３ｃ）を有するウィッフルツリー構造であればよい。アーム部３は、３×ｎ箇所（ｎは正の整数）が形成される。つまり、二つの鏡固定部２に対して、一つのアーム部３が設けられる。鏡固定部２やアーム部３の構造例は後述する。支持構造体４は、鏡固定部２を支持するものである。
【００１５】
図１から図９において、支持構造体４は、望遠鏡側と接続される鏡支持機構（鏡支持体）のインターフェース（例えば、三軸駆動ステージ）である。支持構造体４は、長方形状の本体部４ａ、第１接続子４ｂ、第１接続子４ｃ、第１接続子４ｄ、第１接続子４ｅ、第２接続子４ｆ、第２接続子４ｇを有している。第１接続子４ｂ、第１接続子４ｃ、第１接続子４ｄ、第１接続子４ｅは、本体部４の二つの長辺方向の端部の長辺にそれぞれ形成されている。第２接続子４ｆ、第２接続子４ｇは、本体部４ａの二つの短辺にそれぞれ形成されている。第２接続子４ｆ、第２接続子４ｇは、本体部４ａの二つの短辺の中央部にそれぞれ形成されているものを図示している。本体部４ａは、板状の部材である。図示しているように、支持構造体４（本体部４ａ、第１接続子４ｂ、第１接続子４ｃ、第１接続子４ｄ、第１接続子４ｅ、第２接続子４ｆ、第２接続子４ｇ）には、軽量化などの目的で、剛性を保ち、強度を確保できる範囲で、開口４ｈ以外の別の開口を形成してもよい。
【００１６】
実施の形態１に係る鏡支持機構は、第１接続子（第１接続子４ｂ、第１接続子４ｃ、第１接続子４ｄ、第１接続子４ｅ）及び第２接続子（第２接続子４ｆ、第２接続子４ｇ）が鏡固定部２を支持している。詳しくは、第１接続子４ｂは、鏡固定部２ａを支持している。第１接続子４ｃは、鏡固定部２ｂを支持している。第２接続子４ｆは、鏡固定部２ｃを支持している。第１接続子４ｄは、鏡固定部２ｄを支持している。第１接続子４ｅは、鏡固定部２ｅを支持している。第２接続子４ｇは、鏡固定部２ｆを支持している。支持構造体４が、このような剛性を維持しつつ、小型化しやすい構成のため、支持構造体４は、望遠鏡側の支持構造体４とのインターフェースが複雑な構造であっても適用できる可能性を高めている。
【００１７】
第１接続子（第１接続子４ｂ、第１接続子４ｃ、第１接続子４ｄ、第１接続子４ｅ）及び第２接続子（第２接続子４ｆ、第２接続子４ｇ）が、少なくとも一つが本体部４ａから突出した形状である。図面では、全ての第１接続子（第１接続子４ｂ、第１接続子４ｃ、第１接続子４ｄ、第１接続子４ｅ）及び第２接続子（第２接続子４ｆ、第２接続子４ｇ）が本体部４ａから突出しているものを示している。また、支持構造体４（本体部４）及び鏡１は、それぞれ中央部に開口を有し、好ましくは同じ仮想軸で連通している。鏡固定部２は鏡１の開口１ｈを避けて配置されている。鏡１の開口１ｈと、支持構造体４（本体部４）の開口４ｈとは、光軸方向（Ｚ軸方向）と直交する開口である。つまり、開口１ｈ及び開口４ｈは、それぞれを通る部材が配置可能な開口である。この部材に関しては、実施の形態３に係る鏡支持機構で説明する。
【００１８】
実施の形態１に係る鏡支持機構は、六箇所の鏡固定部２が等分に鏡１の荷重を支持することで、鏡１の鏡面精度の悪化を抑制している。そのため、鏡１は、鏡１（副鏡）が搭載された望遠鏡が駆動（走査）し、鏡１が望遠鏡の駆動範囲内のいずれの位置にあっても、性能の劣化が抑制されている。このことを図５から図９を用いて詳細を説明する。詳しくは、鏡１と支持構造体４ａとの間であって鏡１の光軸方向（Ｚ方向）に設置され、鏡１を支持する鏡支持体の説明を通じて詳細を示す。鏡支持体は、アーム部３を有するもので、アーム部３と同じく、３×ｎ箇所（ｎは正の整数）が形成される。つまり、二つの鏡固定部２に対して、一つの鏡支持体が設けられる。
【００１９】
図５から図９において、拘束点５（拘束点５ａ、拘束点５ｂ、拘束点５ｃ）は、鏡１の動きを拘束する拘束点であり、点線の円で示している。拘束点５は、鏡支持体と同じく、３×ｎ箇所（ｎは正の整数）が形成される。つまり、二つの鏡固定部２に対して、一つの拘束点５が設けられる。拘束点５（拘束点５ａ、拘束点５ｂ、拘束点５ｃ）は、鏡１の重心を通る仮想平面１４（後述）に配置される。
【００２０】
図５から図９において、第１パッド部７ａ（第１パッド部７ｃ、第１パッド部７ｅ）は、鏡１に固定されるものである。第２パッド部７ｂ（第２パッド部７ｄ、第２パッド部７ｆ）は、第１パッド部７ａ（第１パッド部７ｃ、第１パッド部７ｅ）と異なる位置で鏡１に固定されるものである。アーム部３ａ（アーム部３ｂ、アーム部３ｃ）は、鏡１から離間して、第１パッド部７ａと第２パッド部７ａとの間（第１パッド部７ａと第２パッド部７ｄとの間、第１パッド部７ｅと第２パッド部７ｆとの間）に渡されたものである。第１パッド部用弾性体６ａ（第１パッド部用弾性体６ｃ、第１パッド部用弾性体６ｅ）は、アーム部３ａ（アーム部３ｂ、アーム部３ｃ）と第１パッド部７ａ（第１パッド部７ｃ、第１パッド部７ｅ）との間に形成されている。第２パッド部用弾性体６ｂ（第２パッド部用弾性体６ｄ、第２パッド部用弾性体６ｆ）は、アーム部３ａ（アーム部３ｂ、アーム部３ｃ）と第２パッド部７ｂ（第２パッド部７ｄ、第２パッド部７ｆ）との間に形成されている。
【００２１】
第１パッド部７ａ、第２パッド部７ｂ、第１パッド部７ｃ、第２パッド部７ｄ、第１パッド部７ｅ、第２パッド部７ｆが鏡１に固定されている位置は、それぞれ、鏡固定部２ａ、鏡固定部２ｂ、鏡固定部２ｃ、鏡固定部２ｄ、鏡固定部２ｅ、鏡固定部２ｆが鏡１に固定されている位置に一致する。つまり、第１パッド部７ａ、第２パッド部７ｂ、第１パッド部７ｃ、第２パッド部７ｄ、第１パッド部７ｅ、第２パッド部７ｆが、鏡固定部２ａ、鏡固定部２ｂ、鏡固定部２ｃ、鏡固定部２ｄ、鏡固定部２ｅ、鏡固定部２ｆの一部に相当するといえる。
【００２２】
実施の形態１に係る鏡支持体では、第１パッド部７ａ（第１パッド部７ｃ、第１パッド部７ｅ）及び第２パッド部７ｂ（第２パッド部７ｄ、第２パッド部７ｆ）は、アーム部３（アーム部３ａ、アーム部３ｂ、アーム部３ｃ）の長手方向に変形する位置に配置される。第１パッド部７ａ（第１パッド部７ｃ、第１パッド部７ｅ）及び第２パッド部７ｂ（第２パッド部７ｄ、第２パッド部７ｆ）は、例えば、それぞれ板状弾性部材及び剛性部材で形成され、板状弾性部材が、アーム部３（アーム部３ａ、アーム部３ｂ、アーム部３ｃ）の長手方向に変形する位置に配置されるものが、好適である。アーム部３（アーム部３ａ、アーム部３ｂ、アーム部３ｃ）の長手方向は、拘束点５（拘束点５ａ、拘束点５ｂ、拘束点５ｃ）における鏡１の半径方向（Ｒ軸方向）と直交する方向に相当する。
【００２３】
図５から図９において、板バネ部８ａ、板バネ部８ｂ（板バネ部８ｃ、板バネ部８ｄ、板バネ部８ｅ、板バネ部８ｆ）は、板状弾性部材及び剛性部材で形成されている。ここで、剛性部材はアーム部３との接続部材である。板状弾性部材は板バネである。この板状弾性部材は、アーム部３（アーム部３ａ、アーム部３ｂ、アーム部３ｃ）の長手方向に変形する位置に配置される。板状弾性部材（板バネ）は、板バネ部９ａ、板バネ部９ｂ（板バネ部９ｃ、板バネ部９ｄ、板バネ部９ｅ、板バネ部９ｆ）のブロック部材（後述）と接続されている。
【００２４】
図５から図９において、板バネ部９ａ、板バネ部９ｂ（板バネ部９ｃ、板バネ部９ｄ、板バネ部９ｅ、板バネ部９ｆ）は、板状弾性部材及び剛性部材で形成されている。ここで、剛性部材は三つのブロック部材である。板状弾性部材は二つの板バネである。この板状弾性部材は、アーム部３（アーム部３ａ、アーム部３ｂ、アーム部３ｃ）の長手方向に直交する方向（短手方向）に変形する位置に配置される。アーム部３（アーム部３ａ、アーム部３ｂ、アーム部３ｃ）の短手方向は、拘束点５（拘束点５ａ、拘束点５ｂ、拘束点５ｃ）における鏡１の半径方向（Ｒ軸方向）に相当する。板バネ部９ａ、板バネ部９ｂ（板バネ部９ｃ、板バネ部９ｄ、板バネ部９ｅ、板バネ部９ｆ）は、板バネ部８ａ、板バネ部８ｂ（板バネ部８ｃ、板バネ部８ｄ、板バネ部８ｅ、板バネ部８ｆ）から、板バネ部１０ａ、板バネ部１０ｂ（板バネ部１０ｃ、板バネ部１０ｄ、板バネ部１０ｅ、板バネ部１０ｆ）に向かって次のような順で配置されている。つまり、板バネ部９ａ、板バネ部９ｂ（板バネ部９ｃ、板バネ部９ｄ、板バネ部９ｅ、板バネ部９ｆ）の板バネと接続されたブロック部材、板バネ、ブロック部材、板バネ、ブロック部材の順である。最後のブロック部材は、板バネ部１０ａ、板バネ部１０ｂ（板バネ部１０ｃ、板バネ部１０ｄ、板バネ部１０ｅ、板バネ部１０ｆ）の板バネ（後述）と接続されている。
【００２５】
板バネ部１０ａ、板バネ部１０ｂ（板バネ部１０ｃ、板バネ部１０ｄ、板バネ部１０ｅ、板バネ部１０ｆ）は、板状弾性部材及び剛性部材で形成されている。ここで、剛性部材は支持構造体４との接続部材である。板状弾性部材は板バネである。この板状弾性部材は、アーム部３（アーム部３ａ、アーム部３ｂ、アーム部３ｃ）の長手方向に変形する位置に配置される。板状弾性部材（板バネ）は、板バネ部９ａ、板バネ部９ｂ（板バネ部９ｃ、板バネ部９ｄ、板バネ部９ｅ、板バネ部９ｆ）のブロック部材と接続されている。
【００２６】
板バネ部９ａ、板バネ部９ｂ、板バネ部９ｃ、板バネ部９ｄ、板バネ部９ｅ、板バネ部９ｆにより、鏡１の半径方向（厳密には、拘束点５（拘束点５ａ、拘束点５ｂ、拘束点５ｃ）における鏡１の半径方向（Ｒ軸方向）である）に生まれる鏡１と支持構造体４との熱膨張率の差を吸収することができる。そのため、支持構造体４の材料に、鏡１よりも熱膨張率が高いものを使用することが可能となる。
【００２７】
図５から図９において、第１ロッド部１１ａ、第２ロッド部１１ｂ（第１ロッド部１１ｃ、第２ロッド部１１ｄ及び第１ロッド部１１ｅ、第２ロッド部１１ｆ）は、それぞれ、板バネ部８ａ、板バネ部８ｂ（板バネ部８ｃ、板バネ部８ｄ及び板バネ部８ｅ、板バネ部８ｆ）と、板バネ部９ａ、板バネ部９ｂ（板バネ部９ｃ、板バネ部９ｄ及び板バネ部９ｅ、板バネ部９ｆ）と、板バネ部１０ａ、板バネ部１０ｂ（板バネ部１０ｃ、板バネ部１０ｄ及び板バネ部１０ｅ、板バネ部１０ｆ）とを有している。これらの板バネ部の機能は、弾性回転と若干の弾性変位である。第１ロッド部１１ａ及び第２ロッド部１１ｂ、第１ロッド部１１ｃ及び第２ロッド部１１ｄ、第１ロッド部１１ｅ及び第２ロッド部１１ｆは、それぞれの組合せでバイポッド部１１ａｂ、バイポッド部１１ｃｄ、バイポッド部１１ｅｆとして機能する。
【００２８】
第１ロッド部１１ａ（第１ロッド部１１ｃ、第１ロッド部１１ｅ）は、一端が第２パッド部７ｂ（第２パッド部７ｄ、第２パッド部７ｆ）に対して、第１パッド部７ａ（第１パッド部７ｃ、第１パッド部７ｅ）側寄りの位置で、アーム部３ａ（アーム部３ｂ、アーム部３ｃ）に接続され、接続された位置から、第１パッド部７ａ（第１パッド部７ｃ、第１パッド部７ｅ）側に傾斜して延伸した他端が支持構造体４に接続されるものである。
【００２９】
アーム部３（アーム部３ａ、アーム部３ｂ、アーム部３ｃ）が延伸（延在）する方向を、前述のとおり、アーム部３（アーム部３ａ、アーム部３ｂ、アーム部３ｃ）の長手方向と呼ぶ。同じく、アーム部３（アーム部３ａ、アーム部３ｂ、アーム部３ｃ）の長手方向と直交する方向は、アーム部３（アーム部３ａ、アーム部３ｂ、アーム部３ｃ）の短手方向（長手直交方向）と呼ぶ。これらの長手方向及び短手方向（長手直交方向）は、Ｘ軸及びＹ軸による平面（Ｒ軸及びＣ軸による平面）と平行な方向である。つまり、アーム部３（アーム部３ａ、アーム部３ｂ、アーム部３ｃ）の一部を屈曲させている場合でも同様の定義である。第１ロッド部１１ａ（第１ロッド部１１ｃ、第１ロッド部１１ｅ）を構成する弾性体である第１ロッド部弾性体は、前述のとおり、複数の板状弾性部材及び剛性部材で形成され、少なくとも一つの板状弾性部材が、アーム部３（アーム部３ａ、アーム部３ｂ、アーム部３ｃ）の短手方向に変形する位置に配置される。また、少なくとも一つの板状弾性部材が、アーム部３（アーム部３ａ、アーム部３ｂ、アーム部３ｃ）の長手方向に変形する位置に配置される。
【００３０】
第２ロッド部１１ｂ（第２ロッド部１１ｄ、第２ロッド部１１ｆ）は、一端がアーム部３ａ（アーム部３ｂ、アーム部３ｃ）の第１パッド部７ａ（第１パッド部７ｃ、第１パッド部７ｅ）に対して、が第２パッド部７ｂ（第２パッド部７ｄ、第２パッド部７ｆ）側寄りの位置に接続され、接続された位置から、第２パッド部７ｂ（第２パッド部７ｄ、第２パッド部７ｆ）側に傾斜して延伸した他端が支持構造体４に接続されるものである。第２ロッド部１１ｂ（第２ロッド部１１ｄ、第２ロッド部１１ｆ）を構成する弾性体である第２ロッド部弾性体は、前述のとおり、複数の板状弾性部材及び剛性部材で形成され、少なくとも一つの板状弾性部材が、鏡１の半径方向に変形する位置に配置される。また、少なくとも一つの板状弾性部材が、鏡１の円周方向に変形する位置に配置される。
【００３１】
第１ロッド部の他端と前記第１パッド部とは、前記光軸方向において対向し、第２ロッド部１１ｂ（第２ロッド部１１ｄ、第２ロッド部１１ｆ）の他端と第２パッド部７ｂ（第２パッド部７ｄ、第２パッド部７ｆ）とは、光軸方向（Ｚ軸方向）において対向している。つまり、第１パッド部用弾性体６ａ（第１パッド部用弾性体６ｃ、第１パッド部用弾性体６ｅ）、第２パッド部用弾性体６ｂ（第２パッド部用弾性体６ｄ、第２パッド部用弾性体６ｆ）、第１ロッド部弾性体及び第２ロッド部弾性体は、少なくとも一つが板状弾性部材及び剛性部材で形成されている。よって、第１パッド部用弾性体６ａ（第１パッド部用弾性体６ｃ、第１パッド部用弾性体６ｅ）、第２パッド部用弾性体６ｂ（第２パッド部用弾性体６ｄ、第２パッド部用弾性体６ｆ）も板バネ部と呼び、板バネ部６ａ、板バネ部６ｂ、板バネ部６ｃ、板バネ部６ｄ、板バネ部６ｅ、板バネ部６ｆとしてもよい。板バネ部６ａ、板バネ部６ｂ、板バネ部６ｃ、板バネ部６ｄ、板バネ部６ｅ、板バネ部６ｆは、それぞれ剛性部材（ブロック部材）と板状弾性部材（板バネ）とから構成されている。これらの板バネ部の機能は、第１ロッド部１１ａ、第２ロッド部１１ｂ（第１ロッド部１１ｃ、第２ロッド部１１ｄ及び第１ロッド部１１ｅ、第２ロッド部１１ｆ）で使用さている他の板バネ部と同じく、弾性回転と若干の弾性変位である。板バネ部６ａ〜６ｆの当該板状弾性部材が、アーム部３の長手方向に変形する位置に配置される。
【００３２】
図６から図９において、第１仮想線１２は、第１ロッド部１１ａ（第１ロッド部１１ｃ、第１ロッド部１１ｅ）を鏡１の方向に延伸させた仮想線であり、一点鎖線で示している。第２仮想線１３は、第２ロッド部１１ｂ（第２ロッド部１１ｄ、第２ロッド部１１ｆ）を鏡１の方向に延伸させた仮想線であり、一点鎖線で示している。第１ロッド部１１ａ（第１ロッド部１１ｃ、第１ロッド部１１ｅ）及び第２ロッド部１１ｂ（第２ロッド部１１ｄ、第２ロッド部１１ｆ）の傾斜角度は、第１仮想線１２と第２仮想線１３とが交差する点（交差点１４ａ、交点１４ａ）が、鏡１の重心がある仮想平面１４上に存在する、角度である。仮想平面１４は、一点鎖線で図示している。仮想平面１４は、鏡１の重心を含むＸ軸とＹ軸による平面（Ｒ軸とＣ軸による平面）である。つまり、仮想平面１４は、Ｚ軸と直交する平面である。交差点１４ａは、拘束点５に相当する。また、交差点１４ａ（交点１４ａ）は、バイポッド部１１ａｂ、バイポッド部１１ｃｄ、バイポッド部１１ｅｆの交点といえる。
【００３３】
図５から図９では、第１パッド部用弾性体６ｃ及び第２パッド部用弾性体６ｄ、第１パッド部用弾性体６ｅ及び第２パッド部用弾性体６ｆの図示は、第１パッド部用弾性体６ａ及び第２パッド部用弾性体６ｂと同じ構造ため、省略している。同じく、第１パッド部７ｃ及び第２パッド部７ｄ、第１パッド部７ｅ及び第２パッド部７ｆの図示は、第１パッド部７ａ及び第２パッド部７ｂと同じ構造ため、省略している。同じく、板バネ部８ｃ及び板バネ部８ｄ、板バネ部８ｅ及び板バネ部８ｆの図示は、板バネ部８ａ及び板バネ部８ｂと同じ構造ため、省略している。同じく、板バネ部９ｃ及び板バネ部９ｄ、板バネ部９ｅ及び板バネ部９ｆの図示は、板バネ部９ａ及び板バネ部９ｂと同じ構造ため、省略している。同じく、板バネ部１０ｃ及び板バネ部１０ｄ、板バネ部１０ｅ及び板バネ部１０ｆの図示は、板バネ部１０ａ及び板バネ部１０ｂと同じ構造ため、省略している。同じく、第１ロッド部１１ｃ及び第２ロッド部１１ｄ、第１ロッド部１１ｅ及び第２ロッド部１１ｆの図示は、第１ロッド部１１ａ及び第２ロッド部１１ｂと同じ構造ため、省略している。
【００３４】
実施の形態１に係る鏡支持体と、実施の形態１に係る鏡支持機構との関係は、次のとおりとなる。実施の形態１に係る鏡支持機構は、実施の形態１に係る鏡支持体を少なくとも三つ備えた鏡支持機構である（少なくとも三つとは、３×ｎ箇所（ｎは正の整数）を意味する）。実施の形態１に係る鏡支持機構は、隣り合う鏡支持体同士の第１パッド部７ａ（第１パッド部７ｃ、第１パッド部７ｅ）と第２パッド部７ｆ（第２パッド部７ｂ、第２パッド部７ｄ）との距離、及び、同じ鏡支持体の第１パッド部７ａ（第１パッド部７ｃ、第１パッド部７ｅ）と第２パッド部７ｂ（第２パッド部７ｄ、第２パッド部７ｆ）との距離が等しく配置され、鏡１の同一円周１ｃ（同心円１ｃ）上に第１パッド部７ａ（第１パッド部７ｃ、第１パッド部７ｅ）及び第２パッド部７ｂ（第２パッド部７ｄ、第２パッド部７ｆ）が固定された鏡１と、支持構造体４（本体部４ａ）とを備えている。
【００３５】
引き続き、実施の形態１に係る鏡支持体と、実施の形態１に係る鏡支持機構との関係を説明する。第１接続子４ｂ、第１接続子４ｃ、第１接続子４ｄ、第１接続子４ｅは、一方の長辺（本体部４ａの長辺）に形成された一の第１接続子（第１接続子４ｂ）及び二の第１接続子（第１接続子４ｃ）が、同じアーム部３ａに接続された第１ロッド部１１ａ及び第２ロッド部１１ｂにそれぞれ接続されている。
【００３６】
第１接続子４ｂ、第１接続子４ｃ、第１接続子４ｄ、第１接続子４ｅは、他方の長辺（本体部４ａの長辺）に形成された三の第１接続子（第１接続子４ｅ）が、一の第１接続子（第１接続子４ａ）が接続された第１ロッド部１１ａとは異なる第１ロッド部１１ｅに接続され、他方の長辺（本体部４ａの長辺）に形成された四の第１接続子（第１接続子４ｄ）が、二の第１接続子（第１接続子４ｃ）が接続された第２ロッド部１１ｂとは異なる第２ロッド部１１ｄに接続されている。
【００３７】
第２接続子４ｆ、第２接続子４ｇは、一方の短辺（本体部４ａの短辺）に形成された一の第２接続子（第２接続子４ｇ）が、三の第１接続子（第１接続子４ｅ）が接続された第１ロッド部１１ｅと同じアーム部３ｃに接続された第２ロッド部１１ｆに接続され、他方の短辺に形成された二の第２接続子（第２接続子４ｆ）が、四の第１接続子（第１接続子４ｄ）が接続された第２ロッド部１１ｄと同じアーム部３ｂに接続された第１ロッド部１１ｃに接続されている。
【００３８】
なお、図１から図４においては、簡略化を目的として、第１ロッド部１１ａ、第２ロッド部１１ｂ、第１ロッド部１１ｃ、第２ロッド部１１ｄ、第１ロッド部１１ｅ、第２ロッド部１１ｆの符号は図示していない。図１から図４において、鏡固定部２ａの上方に傾斜して配置されたものが第１ロッド部１１ａである。鏡固定部２ｂの上方に傾斜して配置されたものが第２ロッド部１１ｂである。鏡固定部２ｃの上方に傾斜して配置されたものが第１ロッド部１１ｃである。鏡固定部２ｄの上方に傾斜して配置されたものが第２ロッド部１１ｄである。鏡固定部２ｅの上方に傾斜して配置されたものが第１ロッド部１１ｅである鏡固定部２ｆの上方に傾斜して配置されたものが第２ロッド部１１ｆである。
【００３９】
つまり、図１から図４において、鏡固定部２ａと第１接続子４ｂとは、第１ロッド部１１ａを挟み、光軸方向（ｚ軸方向）に対向している。鏡固定部２ｂと第１接続子４ｃとは、第２ロッド部１１ｂを挟み、光軸方向（ｚ軸方向）に対向している。鏡固定部２ｃと第２接続子４ｆとは、第１ロッド部１１ｃを挟み、光軸方向（ｚ軸方向）に対向している。鏡固定部２ｄと第１接続子４ｄとは、第２ロッド部１１ｄを挟み、光軸方向（ｚ軸方向）に対向している。鏡固定部２ｅと第１接続子４ｅとは、第１ロッド部１１ｅを挟み、光軸方向（ｚ軸方向）に対向している。鏡固定部２ｆと第２接続子４ｇとは、第２ロッド部１１ｆを挟み、光軸方向（ｚ軸方向）に対向している。
【００４０】
図５に、隣り合う鏡支持体同士の第１パッド部７ａ（第１パッド部７ｃ、第１パッド部７ｅ）と第２パッド部７ｆ（第２パッド部７ｂ、第２パッド部７ｄ）との距離、及び、同じ鏡支持体の第１パッド部７ａ（第１パッド部７ｃ、第１パッド部７ｅ）と第２パッド部７ｂ（第２パッド部７ｄ、第２パッド部７ｆ）との距離が等しく配置されている状態を図示している。詳しくは、隣り合う鏡固定部２ａ（鏡固定部２ｃ、鏡固定部２ｅ）と鏡固定部２ｆ（鏡固定部２ｂ、鏡固定部２ｄ）との距離、及び、隣り合う鏡固定部２ａ（鏡固定部２ｃ、鏡固定部２ｅ）と鏡固定部２ｂ（鏡固定部２ｄ、鏡固定部２ｆ）との距離が等しく配置されている状態を図示している。つまり、鏡固定部２ａ、鏡固定部２ｂ、鏡固定部２ｃ、鏡固定部２ｄ、鏡固定部２ｅ、鏡固定部２ｆが全て等間隔で鏡１の同一円周１ｃ上に配列されている。なお、前述のとおり、鏡１は、中央部に開口１ｈを有し、第１パッド部７ａ（第１パッド部７ｃ、第１パッド部７ｅ）と第２パッド部７ｂ（第２パッド部７ｄ、第２パッド部７ｆ）は、開口１ｈを避けて配置されている。
【００４１】
実施の形態１に係る鏡支持体（鏡支持機構）による鏡１の剛体移動を抑制について説明を行う。図５及び図６に示すように、鏡１の裏面（背面、鏡面の反対面）に、六つの鏡固定部２（第１パッド部、第２パッド部）が同一円周１ｃ上に配置され、鏡１に接着され、又は、ねじなどの締結部材で締結されて固定されている。鏡固定部２（第１パッド部、第２パッド部）に対して、第１パッド部用弾性体６ａ、第２パッド部用弾性体６ｂ、第１パッド部用弾性体６ｃ、第２パッド部用弾性体６ｄ、第１パッド部用弾性体６ｅ、第２パッド部用弾性体６ｆ）が、それぞれ、ねじなどの締結部材で締結されている。実施の形態１に係る鏡支持体（鏡支持機構）は、鏡１の裏面（背面、鏡面の反対面）のみでも十分に支持が可能なものである。
【００４２】
第１パッド部用弾性体６ａ及び第２パッド部用弾性体６ｂは、それぞれアーム部３ａに、ねじなどの締結部材で締結されている。第１パッド部用弾性体６ｃ及び第２パッド部用弾性体６ｄは、それぞれアーム部３ｂに、ねじなどの締結部材で締結されている。第１パッド部用弾性体６ｅ及び第２パッド部用弾性体６ｆは、それぞれアーム部３ｃに、ねじなどの締結部材で締結されている。バイポッド部１１ａｂは、一端がアーム部３ａの異なる箇所にそれぞれ、ねじなどの締結部材で締結されている。バイポッド部１１ａｂは、他端がそれぞれ第１接続子４ｂ及び第１接続子４ｃに、ねじなどの締結部材で締結されている。バイポッド部１１ｃｄは、一端がアーム部３ｂの異なる箇所にそれぞれ、ねじなどの締結部材で締結されている。バイポッド部１１ｃｄは、他端がそれぞれ第２接続子４ｆ及び第１接続子４ｄに、ねじなどの締結部材で締結されている。バイポッド部１１ｅｆは、一端がアーム部３ｃの異なる箇所にそれぞれ、ねじなどの締結部材で締結されている。バイポッド部１１ｅｆは、他端がそれぞれ第１接続子４ｅ及び第２接続子４ｇに、ねじなどの締結部材で締結されている。
【００４３】
実施の形態１に係る鏡支持体（鏡支持機構）は、アーム部３（アーム部３ａ、アーム部３ｂ、アーム部３ｃ）が板バネなどの弾性体によって支持され、ウィッフルツリー構造を形成している。このウィッフルツリー構造により、第１パッド部７ａ、第２パッド部７ｂ、第１パッド部７ｃ、第２パッド部７ｄ、第１パッド部７ｅ、第２パッド部７ｆ（鏡固定部２ａ、鏡固定部２ｂ、鏡固定部２ｃ、鏡固定部２ｄ、鏡固定部２ｅ、鏡固定部２ｆ）で等分に鏡１の荷重を支持する。また、第１パッド部７ａ、第２パッド部７ｂ、第１パッド部７ｃ、第２パッド部７ｄ、第１パッド部７ｅ、第２パッド部７ｆ（鏡固定部２ａ、鏡固定部２ｂ、鏡固定部２ｃ、鏡固定部２ｄ、鏡固定部２ｅ、鏡固定部２ｆ）やアーム部３は、鏡１の天地軸方向（Ｙ軸方向）対称になるように配置されている。これは鏡１（鏡支持機構）が据え付けられた望遠鏡が、水平方向に向いているとき、Ｙ軸を境に、Ｙ軸の左右三つずつに配列されることになる鏡固定部２同士が支持する力が等分になるようにするためである。なお、アーム部３ａは、鏡１の高度軸方向（Ｘ軸方向）に平行に延在している。よって、鏡固定部２ａ（第１パッド部７ａ）と鏡固定部２ｂ（第２パッド部７ｂ）とを直線（図５（ａ）に示す一点鎖線）で結ぶと、Ｘ軸と平行直線となる。
【００４４】
図７（ｂ）に示すように、実施の形態１に係る鏡支持体（鏡支持機構）は、板バネ部８ａ、板バネ部９ａ、板バネ部１０ａを有する第１ロッド部１１ａ、及び、板バネ部８ｂ、板バネ部９ｂ、板バネ部１０ｂを有する第２ロッド部１１ｂのうち、板バネ部８ａ及び板バネ部８ｂにより、アーム部３ａがその中心周りに回転がシーソー板のように自由となる。さらに、このシーソー板のような動作をするアーム部３ａは、第１パッド部用弾性体６ａ（板バネ部６ａ）及び第２パッド部用弾性体６ｂ（板バネ部６ｂ）に加わる鏡１の荷重を釣り合わせるように働く。アーム部３ｂ、アーム部３ｃも同様の構成で、鏡１の荷重を釣り合わせる動作を行う。このような動作のアーム部３により、鏡１が等分な力で支持される。よって、鏡固定部２がウィッフルツリー構造であるともいえる。より理想的な構造としては、支持構造体４を円型状又は三又型状の平板が考えられる。なお、バイポッド部１１ａｂ、バイポッド部１１ｃｄ、バイポッド部１１ｅｆを使用した鏡支持体（鏡支持機構）では、より理想的な構造として、円型状又は六又型状の平板の支持構造体４が考えられる。つまり、バイポッド部１１ａｂ、バイポッド部１１ｃｄ、バイポッド部１１ｅｆや後述する支持柱１１ｐの数がｎ（整数）であれば、支持構造体４は、ｎ又型状の平板となる。さらに、円型状の平板、ｎ又型状の平板、支持構造体４（長方形状の本体部４ａ、第１接続子４ｂ、第１接続子４ｃ、第１接続子４ｄ、第１接続子４ｅ、第２接続子４ｆ、第２接続子４ｇ）などの平板は、中心近くで望遠鏡構造から支持されることが理想的である。望遠鏡構造は、例えば、前述のような、円型状の平板、ｎ又型状の平板、支持構造体４が、望遠鏡側と接続される鏡支持機構（鏡支持体）のインターフェースである。
【００４５】
実施の形態１に係る鏡支持体（鏡支持機構）は、図７（ａ）に示すベアリングを使って回転解放したウィッフルツリー構造と同じような動作である。図７（ａ）において、支持柱１１ｐは、一端がベアリングを介してアーム部３を支持し、他端が支持構造体４に支持されている。しかし、ベアリングや支持柱１１ｐを使って回転解放すると、構造が大型化や複雑化、ベアリングのガタ（ベアリングの製造誤差によるガタツキを意味し、ガタにより鏡１の変形量が増大し、鏡面精度が悪化する）が発生、ベアリングのメンテナンスの頻度が高いなどの課題がある。一方、実施の形態１に係る鏡支持体（鏡支持機構）のように、板状弾性部材（板バネ）を使用すれば、ベアリングのような不安定な成分がないため、ガタツキがなく、いつも同じ鏡１の変形モードとなる。同じ変形モードであるということは、変形を数式や行列データで予測することができるため、鏡１の光学性能を器差補正することや、鏡１の光学性能をソフトウェアなどで調整することが可能となる。
【００４６】
但し、課題はあるものの、実施の形態１に係る鏡支持機構は、ベアリングを使って回転解放したウィッフルツリー構造と、支持構造体４（本体部、いずれか三つの接続子）とを組み合わせたものを排除はしていない。もちろん、支持構造体４に開口４ｈを形成してもよい。同じく、鏡１に開口１ｈを形成してよい。開口４ｈ及び開口１ｈの詳細は実施の形態３で説明する。排除していない例として、例えば、アーム部３をベアリングで支持する支持柱１１ｐを三本（アーム部３が三つのため）形成し、それぞれ隣り合う第１接続子４ｂ及び第１接続子４ｃ、第２接続子４ｆ及び第１接続子４ｄ、第１接続子４ｅ及び第２接続子４ｇで一つずつ支持してもよい。三本の支持柱１１ｐを、第１接続子４ｂ、第２接続子４ｆ、第１接続子４ｅで一つずつ支持してもよい。三本の支持柱１１ｐを、第１接続子４ｃ、第１接続子４ｄ、第２接続子４ｇで一つずつ支持してもよい。なお、実施の形態１に係る鏡支持機構の全体構造を、Ｙ軸対称にするように回転させると、後述の図８（ｂ）（図９（ｂ））に記載のように、鏡１が水平線を向いた場合でも鏡１の鏡面精度の悪化を防ぐことができる。
【００４７】
これまでの説明は、実施の形態１に係る鏡支持体（鏡支持機構）がアーム部３により、鏡１が等分な力で支持されている状態が、鏡１（鏡支持機構）が据え付けられた望遠鏡が、天頂方向に向いている場合のときであった（図８（ａ））。しかし、実施の形態１に係る鏡支持体（鏡支持機構）は、鏡１（鏡支持機構）が据え付けられた望遠鏡が、水平方向に向いている場合でも鏡１の剛体移動を抑制することができる（図８（ｂ））。図８（ａ）、図８（ｂ）、図９（ａ）、図９（ｂ）には鏡１の重心を記号で付している。
【００４８】
図９に示すように、バイポッド部１１ａｂ（図面では、第２ロッド部１１ｂが第１ロッド部１１ａにより、隠れているが存在している）、バイポッド部１１ｃｄ（図面では、バイポッド部１１ｅｆにより、隠れているが存在している）、バイポッド部１１ｅｆは、それぞれの交点１４ａを鏡１の背面からオフセットさせて、鏡１の重心を通る仮想平面１４の内のそれぞれ別の場所に配置させている。これにより、三つのウィッフルツリー構造が機能して、三つの拘束点で鏡１を拘束することになり、鏡１全体の剛体移動（図９に円弧状の矢印で模式的に表示）を抑制することができる。仮に、バイポッド部１１ａｂ、バイポッド部１１ｃｄ、バイポッド部１１ｅｆのそれぞれの交点１４ａが仮想平面１４から外れていると、鏡１にモーメント荷重が掛かる形で、鏡１を支持することになる。鏡１にモーメント荷重が掛かった状態で、鏡１を支持すると、鏡１全体の剛体移動が大きくなり、鏡１の鏡面精度が悪化してしまうことになる。これは、鏡１（鏡支持機構）が据え付けられた望遠鏡が、水平方向に向いている場合に特に顕著である。
【００４９】
ここで、図１０から図１４を用いて、実施の形態１に係る鏡支持体の構造を説明する。説明を簡略化するため、バイポッド部１１ａｂの周辺構造を代表として説明するが、バイポッド部１１ｃｄ及びバイポッド部１１ｅｆも同様の構成である。第１パッド部７ａ、第２パッド部７ｂ、第１パッド部７ｃ、第２パッド部７ｄ、第１パッド部７ｅ、第２パッド部７ｆ（鏡固定部２ａ、鏡固定部２ｂ、鏡固定部２ｃ、鏡固定部２ｄ、鏡固定部２ｅ、鏡固定部２ｆ）が、形成されている同一円周１ｃは、鏡１が下方を向くときは、鏡１を力等分で支持し、鏡１の鏡面精度の影響を低減できる位置を選択する。かつ、同一円周１ｃは、鏡１が水平線を向くときは、天地軸（Ｙ軸）を境にした左右対称構造で支持することができる位置を選択する。また、同一円周１ｃは、開口１ｈが鏡１に形成されている場合は、開口１ｈを避けて形成されている。
【００５０】
図１０（ａ）、図１１（ａ）、図１２（ａ）、図１３（ａ）は、第１パッド部７ａ及び第２パッド部７ｂが形成された状態の鏡支持体である。図１２（ａ）、図１３（ａ）に示す二点鎖線は、鏡１の裏面を示している。二点鎖線とアーム部３ａとの位置関係から、鏡支持体を鏡１に固定しても、アーム部３ａが鏡１から離間していることが分かる。図１０（ｂ）、図１１（ｂ）、図１２（ｂ）、図１３（ｂ）は、第１パッド部７ａ及び第２パッド部７ｂが形成されていない状態の鏡支持体である。そのため、アーム部３ａが見えている。図１０は、鏡支持体の斜視図である。図１１は、鏡支持体の平面図である（底面図は他の図面から明らかなため省略）。図１２は、鏡支持体の正面図である（背面図は、正面図と同じため省略）。図１３は、鏡支持体の側面図（右側面図と左側面図は同様のため省略、右側面図のみ図示）である。
【００５１】
図１４（ａ）は第１ロッド部１１ａの斜視図、図１４（ｂ）は、第１ロッド部１１ａの平面図（底面図は他の図面から形状が明らかなため省略）である。図１４（ｃ）は、第１ロッド部１１ａの正面図（背面図は他の図面から形状が明らかなため省略）である。図１４（ｄ）は、第１ロッド部１１ａの右側面図（左側面図は他の図面から形状が明らかなため省略）である。第１ロッド部１１ａは、第２ロッド部１１ｂ、第１ロッド部１１ｃ、第２ロッド部１１ｄ、第１ロッド部１１ｅ、第２ロッド部１１ｆと同じ構造である。
【００５２】
図１０から図１４において、フランジ部１５は、第１ロッド部１１ａとアーム部３ａとを接続する締結部材を通すフランジである。フランジ部１６は、第１ロッド部１１ａと支持構造体４とを接続する締結部材を通すフランジである。フランジ部１７は、第２ロッド部１１ｂとアーム部３ａとを接続する締結部材を通すフランジである。フランジ部１８は、第２ロッド部１１ｂと支持構造体４とを接続する締結部材を通すフランジである。
【００５３】
図１０から図１４に示すように、アーム部３ａは、第１ロッド部１１ａと接続している部分（フランジ部１５）から屈曲して、第１ロッド部１１と接続している部分（フランジ部１５）と第１パッド部７ａとの間が第１ロッド部１１ａに沿って延伸している。この延伸は、フランジ部１６の付近まで続く。同じく、アーム部３ａは、第２ロッド部１１ｂと接続している部分（フランジ部１７）から屈曲して、第２ロッド部１１ｂと接続している部分（フランジ部１７）と第２パッド部７ｂとの間が第２ロッド部１１ｂに沿って延伸している。この延伸は、フランジ部１８の付近まで続く。
【００５４】
加えて、図１０から図１４に示すように、第１ロッド部１１ａと接続している部分（フランジ部１５）から屈曲して、第１ロッド部１１と接続している部分（フランジ部１５）と第１パッド部７ａとの間が第１ロッド部１１ａに沿って延伸し、第１パッド部７ａ側で、さらに屈曲してから第１パッド部用弾性体６ａを介して第１パッド部７ａと接続されている。第１パッド部７ａとフランジ部１６とは対向している。第１パッド部用弾性体６ａ（板バネ部６ａ）は、剛性部材（ブロック部材）と剛性部材（ブロック部材）との間に板状弾性部材（板バネ）を一体的に形成したものになっている。他の第１パッド部用弾性体６ｃ（板バネ部６ｃ）、第１パッド部用弾性体６ｅ（板バネ部６ｅ）も同様の構造である。アーム部３ａは、第２ロッド部１１ｂと接続している部分（フランジ部１７）から屈曲して、第２ロッド部１１ｂと接続している部分（フランジ部１７）と第２パッド部７ｂとの間が第２ロッド部１１ｂに沿って延伸し、第２パッド部７ｂ側で、さらに屈曲してから第２パッド部用弾性体７ｂを介して第２パッド部７ｂと接続されている。第２パッド部７ｂとフランジ部１８とは対向している。第２パッド部用弾性体６ｂ（板バネ部６ａ）は、剛性部材（ブロック部材）と剛性部材（ブロック部材）との間に板状弾性部材（板バネ）を一体的に形成したものになっている。他の第２パッド部用弾性体６ｄ（板バネ部６ｄ）、第２パッド部用弾性体６ｆ（板バネ部６ｆ）も同様の構造である。
【００５５】
さらに、図１０から図１４に示すように、アーム部３ａは、第１ロッド部１１ａと接続している部分（ブランジ部１５）と第１パッド部７ａとの間で第１ロッド部１１ａに沿って延伸している部分が、第１ロッド部１１ａと平行である。アーム部３ａは、第２ロッド部１１ｂと接続している部分（フランジ部１７）と第２パッド部７ｂとの間で第２ロッド部１１ｂに沿って延伸している部分が、第２ロッド部１１ｂと平行である。
【００５６】
換言すると、アーム部３ａは、第１パッド部７ａと接続された部分から、鏡１の方向に屈曲して第１ロッド部１１ａに沿って延伸し、第１ロッド部１１ａと接続されている部分（フランジ部１５）から、鏡１に平行に延伸して、第２ロッド部１１ｂと接続されている箇所へ向かうといえる。同じく、アーム部３ａは、第２パッド部７ｂと接続された部分から、鏡１の方向に屈曲して第２ロッド部１１ｂに沿って延伸し、第２ロッド部１１ｂと接続されている部分（フランジ部１７）から、鏡１に平行に延伸して、第１ロッド部１１ａと接続されている箇所へ向かうといえる。
【００５７】
つまり、前述のとおり、長手方向及び短手方向（長手直交方向）が、Ｘ軸及びＹ軸による平面（Ｒ軸及びＣ軸による平面）と平行な方向であることから、アーム部３（アーム部３ａ、アーム部３ｂ、アーム部３ｃ）に関して、次のことがいえる。アーム部３（アーム部３ａ、アーム部３ｂ、アーム部３ｃ）の中央部は、長手方向及び短手方向（長手直交方向）に平行であり、アーム部３（アーム部３ａ、アーム部３ｂ、アーム部３ｃ）の端部が鏡１と反対側に屈曲しているといえる。そして、屈曲した先が、長手方向及び短手方向（長手直交方向）と平行になっている。
【００５８】
図１０から図１４（特に、図１４）に示すように、第１ロッド部１１ａは、フランジ部１５、板バネ部８ａ、板バネ部９ａ、板バネ部１０ａ、フランジ部１６を有している。板バネ部８ａは、剛性部材（接続部材）と板状弾性部材（板バネ）とで構成され、板バネ部８ａの接続部材とフランジ部１５とが一体的に構成されている。板バネ部１０ａは、剛性部材（接続部材）と板状弾性部材（板バネ）とで構成され、板バネ部１０ａの接続部材とフランジ部１６とが一体的に構成されている。板バネ部９ａは、三つの剛性部材（ブロック部材）と、隣り合う剛性部材の間にそれぞれ板状弾性部材（板バネ）とで構成されている。つまり、板状弾性部材（板バネ）は二つある。板バネ部９ａの真ん中のものを除く一方の剛性部材（ブロック部材）は、板バネ部８ａの板状弾性部材（板バネ）と接続されている。板バネ部９ａの真ん中のものを除く他方の剛性部材（ブロック部材）は、板バネ部１０ａの板状弾性部材（板バネ）と接続されている。
【００５９】
同じく、図１０から図１４（特に、図１４）に示すように、第２ロッド部１１ｂは、フランジ部１７、板バネ部８ｂ、板バネ部９ｂ、板バネ部１０ｂ、フランジ部１８を有している。板バネ部８ｂは、剛性部材（接続部材）と板状弾性部材（板バネ）とで構成され、板バネ部８ｂの接続部材とフランジ部１７とが一体的に構成されている。板バネ部１０ｂは、剛性部材（接続部材）と板状弾性部材（板バネ）とで構成され、板バネ部１０ｂの接続部材とフランジ部１８とが一体的に構成されている。板バネ部９ｂは、三つの剛性部材（ブロック部材）と、隣り合う剛性部材の間にそれぞれ板状弾性部材（板バネ）とで構成されている。つまり、板状弾性部材（板バネ）は二つある。板バネ部９ｂの真ん中のものを除く一方の剛性部材（ブロック部材）は、板バネ部８ｂの板状弾性部材（板バネ）と接続されている。板バネ部９ｂの真ん中のものを除く他方の剛性部材（ブロック部材）は、板バネ部１０ｂの板状弾性部材（板バネ）と接続されている。
【００６０】
実施の形態１に係る鏡支持体は、アーム部３（アーム部３ａ、アーム部３ｂ、アーム部３ｃ）がこのような構成のため、鏡１を支持する際に、鏡１の光軸方向（Ｚ軸方向）の高さを抑えることが容易である。
【００６１】
実施の形態２．
この実施の形態２は、実施の形態１に係る鏡支持機構の鏡１の構成が違うものである。実施の形態１に係る鏡支持体と実施の形態２に係る鏡支持体とは同様の構成である。図１５から図１８において、窪み部１９は、鏡１の側面（周方向）に複数形成された窪みである。
【００６２】
図１６（ａ）は、鏡支持機構の平面図である。鏡支持機構は鏡の裏面（背面、鏡面の反対面）に主な構成を有するものであるので、鏡の裏面を平面図としている。つまり、鏡支持機構の底面図は、鏡の鏡面となる。図１６（ｂ）は、鏡支持機構の正面図である。鏡支持機構の背面図は、図１及び図２から明らかである。図１６（ｃ）は、鏡支持機構の側面図である。鏡支持機構の右側面図と左側面図とは同じような図となり、右側面図と左側面図との相違点は、図１５及び図１６から明らかである。
【００６３】
図１８（ａ）、図１８（ｂ）、図１８（ｃ）の関係は、図１６（ａ）、図１６（ｂ）、図１６（ｃ）と同様の関係である。つまり、図１８（ａ）は、鏡支持機構の平面図である。図２と同じく、鏡支持機構の底面図は、鏡の鏡面となる。図１８（ｂ）は、鏡支持機構の正面図である。鏡支持機構の背面図は、図１７及び図１８から明らかである。図４（ｃ）は、鏡支持機構の側面図である。鏡支持機構の右側面図と左側面図とは同じような図となり、右側面図と左側面図との相違点は、図３及び図４から明らかである。
【００６４】
その他に関しては、図１５から図１８は、実施の形態１に係る鏡支持体及び鏡支持機構の説明に用いた図１から図４とそれぞれ窪み部１９以外は同じ構成のため詳細説明は省略する。窪み部１９は、図１５から図１８では三箇所に形成しているがこれに限るものではない。
【００６５】
実施の形態２に係る鏡支持機構は、鏡１に窪み部１９が形成されているので、鏡１（鏡支持機構）が据え付けられた望遠鏡のメンテナンス時に、鏡１を鏡支持体から取り外す際に、取り外し用の治具（Ｊｉｇ）を、窪み部１９に引っ掛けることができる。よって、望遠鏡のメンテナンスを容易に行うことができる。窪み部１９は、鏡１の側面から半径方向に窪んでいる。窪み部１９の形状は、鏡１の取り外し用の治具の形状に合わせて形成すればよい。よって、窪み部１９の形状は、図示しているものには限らない。また、前述のとおり、図では窪み部１９を三箇所に形成しているがこれに限るものではない。
【００６６】
実施の形態３．
この実施の形態３は、実施の形態１及び２に係る鏡支持機構に適用が可能な鏡１の脱落防止機構（脱落防止部２０）を有するものである。脱落防止機構は、厳密には、鏡１の落ち止め機構であるが、便宜上、脱落防止機構や脱落防止部２０と称する。つまり、脱落防止部２０は、鏡１が、仮に、第１パッド部７ａ、第２パッド部７ｂ、第１パッド部７ｃ、第２パッド部７ｄ、第１パッド部７ｅ、第２パッド部７ｆの少なくとも一つから脱落した場合の落ち止めとして機能する。鏡支持機構に関する実施の形態３に係る鏡支持体及び鏡支持機構と、実施の形態１及び２に係る鏡支持体及び鏡支持機構とは同様の構成である。図１９において、脱落防止部２０は、支持構造体４に基端部が固定されている。
【００６７】
実施の形態１及び２と同様に、実施の形態３に係る鏡支持機構は、支持構造体４（本体部４）及び鏡１は、それぞれ中央部に開口を有し、好ましくは同じ仮想軸で連通している。鏡固定部２は鏡１の開口１ｈを避けて配置されている。開口１ｈ及び開口４ｈは、それぞれを通る部材が配置可能な開口である。この部材が脱落防止部２０である。脱落防止部２０の形状は、大文字のＩ字状（エ字状）、又は、大文字のＴ字を反転させた形状や凸状が考えられる。図１９は、鏡支持機構の正面模式図である。図１９では、開口１ｈ及び開口４ｈと、脱落防止部２０の一部は点線で示している。脱落防止部２０は、円柱状のものでよい。もちろん、鏡１の落ち止め機構として機能でき、開口１ｈに通すことができ、開口１ｈの内壁に接触しない構造であれば、脱落防止部２０は円柱状のものに限らない。
【００６８】
図１９に示すように、脱落防止部２０は、脱落防止部２０の基端部が支持構造体４の開口４ｈに固定され、鏡１の開口１ｈを通過してから鏡１の鏡面側で鏡１の鏡面側で張り出した脱落防止部２０の先端部を有している。この鏡面側で張り出している先端部（脱落防止部２０）の径は、鏡１の開口１ｈの径よりも大きい。そして、脱落防止部２０と鏡１との間には隙間がある。この隙間により、実施の形態３に係る鏡支持機構は、通常は、脱落防止部２０と鏡１とは接触していない。そのため、鏡１に対して、脱落防止部２０から力は加わっていない。しかし、鏡１に対する、第１パッド部７ａ、第２パッド部７ｂ、第１パッド部７ｃ、第２パッド部７ｄ、第１パッド部７ｅ、第２パッド部７ｆによる固定の少なくとも一つが外れた場合でも、脱落防止部２０（主に、脱落防止部２０の先端部）に鏡１が接触することで、鏡１の落下を防止することができる。これは、特に、鏡１が下方を向くときに効果的である。
【００６９】
詳しくは、図１９に示すように、脱落防止部２０は、基端部、挿入部、先端部から構成されているといえる。脱落防止部２０の基端部及び先端部は前述のとおり、脱落防止部２０の挿入部は、開口４ｈと開口１ｈに挿入されている二箇所と、露出している箇所が二箇所ある。脱落防止部２０の挿入部のうち、開口１ｈに挿入されている部分は、開口１ｈの内壁と離間している。脱落防止部２０の先端部における鏡１側は、鏡１の鏡面と離間している。
【００７０】
もちろん、実施の形態１及び２に係る鏡支持体及び鏡支持機構のように、開口１ｈ及び開口４ｈを開放したままで、軽量化目的などの別の用途に使用してもよい。つまり、支持構造体４（本体部４）及び鏡１は、それぞれ中央部に開口を有して光学的に連通している。なお、実施の形態３に係る鏡支持機構では、開口４ｈを貫通させず凹部４ｈとしてもよい。凹部４ｈは脱落防止部２０の基端部を固定している。さらに、鏡固定部２が、鏡１の開口１ｈを避けて配置されているので、脱落防止部２０と、支持構造体４（開口４ｈ、凹部４ｈ）以外の鏡支持体（実施の形態１及び２）とを接触しないようにすることが容易にできる。
【００７１】
実施の形態３に係る鏡支持機構は、実施の形態３に係る鏡取り外し方法としても成立する。ここで、実施の形態３に係る鏡取り外し方法を説明する。鏡１を取り外す対象は、脱落防止部２０つきの実施の形態１から３に係る鏡支持機構とする。脱落防止部２０を、支持構造体４（開口４ｈ、凹部４ｈ）から外す脱落防止部取り外しステップを実施する。次に、鏡１を取り外し用の治具で固定する鏡固定ステップを実施する。鏡固定ステップは、実施の形態２に係る鏡支持機構では、取り外し用の治具を、窪み部１９に引っ掛けることで鏡１を固定する。窪み部１９がない場合は、取り外し用の治具で鏡１の側方向（ラテラル方向）を挟み込めばよい。脱落防止部取り外しステップと鏡固定ステップとは、順序が逆でもよいし、同時並行に行ってもよい。取り外し用の治具で鏡１が固定されている状態で鏡１を固定している第１パッド部７ａ、第２パッド部７ｂ、第１パッド部７ｃ、第２パッド部７ｄ、第１パッド部７ｅ、第２パッド部７ｆを鏡１から外すパッド部取り外しステップを実施する。パッド部取り外しステップ後に、鏡１を取り外し用の治具が軸方向（アキシャル方向）に引き出して、鏡１を鏡支持機構から取り外す鏡取り外しステップを実施する。実施の形態３に係る鏡取り付け方法は、実施の形態３に係る鏡取り外し方法の逆にステップを進める。すなわち、鏡取り付けステップ（鏡取り外しステップの逆）、パッド部取り付けステップ（パッド部取り外しステップの逆）、鏡固定解除ステップ（鏡固定ステップの逆）、脱落防止部取り付けステップ（脱落防止部取り外しステップの逆）となる。鏡固定解除ステップ及び脱落防止部取り付けステップは、順序が逆でもよいし、同時並行に行ってもよい。
【００７２】
以上、説明したとおり、実施の形態１から３に係る鏡支持体及び鏡支持機構は、鏡支持機構（鏡１）が据え付けられる望遠鏡が天頂を向くときは、鏡支持体及び鏡支持機構により、鏡１を力等分で支持し、鏡１の鏡面精度の悪化を低減できるものである。実施の形態１及び２に係る鏡支持体及び鏡支持機構は、望遠鏡が水平線を向くときは、鏡支持体及び鏡支持機構が天地軸（Ｙ軸）を境にした左右対称構造で支持することで、鏡１の鏡面精度の悪化を低減できるものである。実施の形態３に係る鏡取り外し方法は、実施の形態１から３に係る鏡支持機構から、鏡１を取り外すことができるものである。実施の形態３に係る鏡取り付け方法は、実施の形態１から３に係る鏡支持機構から、鏡１を取り付けることができるものである。
【００７３】
以上に述べた各実施の形態（に含まれる各例）に記載した特徴を、技術的に矛盾のない範囲で適宜組み合わせるように適用してもよい。
【００７４】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【００７５】
１  鏡（副鏡）、１ｃ  同一円周（同心円）、１ｈ  開口、２，２ａ，２ｂ，２ｃ，２ｄ，２ｅ，２ｆ  鏡固定部、３，３ａ，３ｂ，３ｃ  アーム部、４  支持構造体、４ａ  本体部、４ｂ，４ｃ，４ｄ，４ｅ  第１接続子、４ｆ，４ｇ  第２接続子、４ｈ  開口（凹部）、５，５ａ，５ｂ，５ｃ  拘束点、６ａ，６ｃ，６ｅ  第１パッド部用弾性体（板バネ部）、６ｂ，６ｄ，６ｆ  第２パッド部用弾性体（板バネ部）、７ａ，７ｃ，７ｅ  第１パッド部、７ｂ，７ｄ，７ｆ  第２パッド部、８ａ，８ｂ，８ｃ，８ｄ，８ｅ，８ｆ，９ａ，９ｂ，９ｃ，９ｄ，９ｅ，９ｆ，１０ａ，１０ｂ，１０ｃ，１０ｄ，１０ｅ，１０ｆ  板バネ部、１１ａ，１１ｃ，１１ｅ  第１ロッド部、１１ａｂ，１１ｃｄ，１１ｅｆ  バイポッド部、１１ｂ，１１ｄ，１１ｆ  第２ロッド部、１１ｐ  支持柱、１２  第１仮想線、１３  第２仮想線、１４  仮想平面、１４ａ  交差点（交点）、１５，１６，１７，１８  フランジ部、１９  窪み部、２０  脱落防止部。
【要約】
望遠鏡の鏡（主鏡や副鏡の反射鏡）が自重による変形を簡便な構造で抑制して、支持することができる鏡支持体及び鏡支持機構を得る。一端が鏡に固定される第２パッド部（７ｂ，７ｄ，７ｆ）に対して、鏡に固定される第１パッド部（７ａ，７ｃ，７ｅ）側寄りの位置でアーム部（３ａ，３ｂ，３ｃ）に接続され、接続された位置から第１パッド部（７ａ，７ｃ，７ｅ）側に傾斜して延伸した他端が支持構造体に接続される第１ロッド部と、第１ロッド部を構成する弾性体である第１ロッド部弾性体と、一端がアーム部（３ａ，３ｂ，３ｃ）の第１パッド部（７ａ，７ｃ，７ｅ）に対して第２パッド部（７ｂ，７ｄ，７ｆ）側寄りの位置に接続され、接続された位置から第２パッド部（７ｂ，７ｄ，７ｆ）側に傾斜して延伸した他端が支持構造体に接続される第２ロッド部と、第２ロッド部を構成する弾性体である第２ロッド部弾性体とを備える。【図１】
0006559386.tif 000002
【図２】
0006559386.tif 000003
【図３】
0006559386.tif 000004
【図４】
0006559386.tif 000005
【図５】
0006559386.tif 000006
【図６】
0006559386.tif 000007
【図７】
0006559386.tif 000008
【図８】
0006559386.tif 000009
【図９】
0006559386.tif 000010
【図１０】
0006559386.tif 000011
【図１１】
0006559386.tif 000012
【図１２】
0006559386.tif 000013
【図１３】
0006559386.tif 000014
【図１４】
0006559386.tif 000015
【図１５】
0006559386.tif 000016
【図１６】
0006559386.tif 000017
【図１７】
0006559386.tif 000018
【図１８】
0006559386.tif 000019
【図１９】
0006559386.tif 000020